(57)【要約】【課題】  ウァームトラック防止を目的とする画像形成装置の提供。【解決手段】  定着直前と定着直後の２箇所で斜行を検知し、斜行を検知した場合、速度を制御し、速度に応じた定着温調に変更することを特徴とする画像形成装置。【選択図】        図１
2007047555.tif 000002
【特許請求の範囲】
【請求項１】
像担持体と、該像担持体に担持されたトナー像をシートに転写する転写手段と、該シートに転写されたトナー像を該シートに定着させる定着手段と、該転写手段の後乃至該定着手段の前で該シートの斜行を検知する斜行検知手段と、該斜行検知手段で該シートの斜行を検知した場合に、該定着手段のスピードを制御する手段と、該定着目標温度を制御する手段の少なくともいずれかの機能を備えたことを特徴とする画像形成装置。
【請求項２】
前記斜行検知手段は、略同一長手方向に少なくとも２つ以上のセンサを持つことを特徴とする請求項１に記載の画像形成装置。
【請求項３】
前記制御手段は、前記斜行検知手段で前記シートの斜行を検知した場合に、前記定着手段のスピードを遅くすること、乃至定着目標温度を低くすることのいずれかを行なうことを特徴とする請求項１または２に記載の画像形成装置。
【請求項４】
像担持体と、該像担持体に担持されたトナー像をシートに転写する前記転写手段と、該シートに転写されたトナー像を該シートに定着させる前記定着手段と、該定着手段の後で該シートの斜行を検知する前記斜行検知手段と、該斜行検知手段で該シートの斜行を検知した場合に、該定着手段のスピードを制御する手段と、該定着目標温度を制御する手段の少なくともいずれかの機能を備えたことを特徴とする画像形成装置。
【請求項５】
前記斜行検知手段は、略同一長手方向に少なくとも２つ以上のセンサを持つことを特徴とする請求項４に記載の画像形成装置。
【請求項６】
前記制御手段は、前記斜行検知手段で前記シートの斜行を検知した場合に、前記定着手段のスピードを遅くすること、乃至前記定着目標温度を低くすることのいずれかを行なうことを特徴とする請求項４または５に記載の画像形成装置。
【請求項７】
前記定着手段の前後で前記シートの斜行を検知する手段を備え、該定着手段の前で該シートの斜行を検知し、該定着手段のスピードを遅くし、かつ定着目標温度を低くした場合に、該定着手段の後で該シートの斜行を検知したとき、該定着手段のスピードをさらに遅くし、かつ該定着目標温度をさらに低くすることを特徴とする請求項１乃至６のいずれかに記載の画像形成装置。
【請求項８】
前記定着手段の前後で前記シートの斜行を検知する手段を備え、該定着手段の前で該シートの斜行を検知し、該定着手段のスピードを遅くし、かつ定着目標温度を低くした場合に、該定着手段の後でシートの斜行を検知しなかったとき、該定着手段のスピードを該定着手段の前で該シートの斜行を検知する前の該定着手段のスピードに戻し、かつ該定着目標温度を該定着手段の前で該シートの斜行を検知する前の該定着目標温度に戻すことを特徴とする請求項１乃至６のいずれかに記載の画像形成装置。
【発明の詳細な説明】
【技術分野】
【０００１】
本発明は、複写機、ファクシミリ、レーザビームプリンタ等の画像形成装置に関するものである。
【０００２】
より詳しくは、被記録材上に形成担持させた未定着トナー画像を被記録材に永久画像として加熱定着させる定着装置に関するものである。
【背景技術】
【０００３】
従来の電子写真方式を用いたレーザビームプリンタ（以下『ＬＢＰ』という）の一例を図６に示す。
【０００４】
図示したＬＢＰは４ドラムフルカラー方式のＬＢＰであり、５０Ｙ、５０Ｍ、５０Ｃ、５０Ｋは感光ドラムで、それぞれイエロー、マゼンタ、シアン、ブラックの各色の現像剤（トナー）を備えた現像手段５１Ｙ、５１Ｍ、５１Ｃ、５１Ｋを備え各画像形成ステーション毎に設けられている。
【０００５】
各感光ドラム５０Ｙ、５０Ｍ、５０Ｃ、５０Ｋの表面には、それぞれに対応したレーザスキャナ装置５２Ｙ、５２Ｍ、５２Ｃ、５２Ｋから発せられたレーザ光による露光により潜像が形成される。この潜像は、それぞれイエロー、マゼンタ、シアン、ブラックの各色の現像剤によって現像され、トナー像が形成される。４２は中間転写ベルトで、各感光ドラム５０Ｙ、５０Ｍ、５０Ｃ、５０Ｋで形成された各色毎のトナー像が一次転写される。
【０００６】
シートＰは、所定のタイミングで二次転写装置４３へ搬送され、中間転写ベルト４２上のトナー像が転写され、次いで二次転写装置４３の二次転写ローラ４１と中間転写ベルト４２により、定着器４４に搬送され、トナー像の定着が行なわれる。前記定着器４４を通過したシートＰは、排紙ローラ対４５、４６によって搬送され排紙トレー４７上に排出積載される。
【０００７】
シートカセット３２には転写材であるシートＰが積載されている。シートＰは、給送ローラ３３により給紙され、フィード・リタードローラ対３４、搬送ローラ対３５、３６により１枚毎に搬送される。しかし、搬送される間にローラの外径差やローラの磨耗による搬送速度のばらつきや、ローラ対の整合や、シートＰをガイドするガイド板とシートＰとの摺動抵抗等による影響を受け、シートＰは実際には必ずしも進行方向に対して真直ぐに搬送されず、傾いた状態で搬送されることがある。そのままの状態で、中間転写ベルト４２上のトナー像をシートＰに転写すると、シートＰに対して画像が傾いたり、位置がずれて転写されてしまうことになる。
【０００８】
これを防止するために、通常、画像形成装置においては、シートＰの傾き（以下『斜行』という）を矯正するためのレジストローラ対３８が設けられている。シートカセット３２から搬送されたシートＰの先端がレジストローラ対３８まで到達した時、レジストローラ対３８は停止したままであるよう制御されている。シートＰ先端でレジストローラ対３８に突き当たったままの状態で、搬送ローラ対３５、３６は、さらに所定の時間回転を続け、シートＰを前方に搬送する。このため、停止したままのレジストローラ対３８と、搬送ローラ対３６との間にシートＰのふくらみ（ループ）が生ずる。
【０００９】
このループが生じたシートＰは、そのシートＰの弾性力（いわゆるシートの“こし”）により、真直ぐに戻ろうとし、シートＰの先端は停止しているレジストローラ対３８のニップに突き当たる。この突き当て作用により、シートＰ先端はレジストローラ対３８のニップ部に倣うことになり、その結果、この時点でシートＰの斜行は矯正されることになる。
【００１０】
定着部４４では、定着入口センサ４４ｃと排紙センサ４４ｄが略長手方向に各々１個ずつあり、定着入口センサ４４ｃと排紙センサ４４ｄでシートＰの有無を検知することはできる。しかし、シートＰの斜行を検知する構成にはなっていない。
【００１１】
なお、レジストローラ対のニップにシートを突き当ててループを形成してからシートの搬送動作を開始する制御については例えば特許文献１に記載されている。
【特許文献１】特開平６−３４５２９４号公報
【発明の開示】
【発明が解決しようとする課題】
【００１２】
しかしながら、上記従来例では、レジストローラ対３８によりシートＰの斜行が補正されても、シートＰ上の画像濃度差が左右で大きい、すなわち左右でトナー載り量の差が大きく、かつ二次転写装置４３の回転スピードに対し、定着器４４の回転スピードが速い場合、定着器４４でシートＰの左右でスピード差が生じやすいため、シートＰの斜行が発生しやすくなり、画像欠陥あるいはシートＰにしわが発生するおそれがあるという問題があった。
【００１３】
本発明の目的は、シートＰ上の左右でトナー載り量の差が大きく、かつ二次転写装置４３の回転スピードに対し、定着器４４の回転スピードが速くても、定着器４４で画像欠陥あるいはシートＰにしわが発生することがない画像形成装置を提供することである。
【課題を解決するための手段】
【００１４】
本発明は前記課題を解決するために、下記の構成を特徴とする画像形成装置である。
【００１５】
（１）像担持体と、該像担持体に担持されたトナー像をシートに転写する転写手段と、該シートに転写されたトナー像を該シートに定着させる定着手段と、該転写手段の後乃至該定着手段の前で該シートの斜行を検知する斜行検知手段と、該斜行検知手段で該シートの斜行を検知した場合に、該定着手段のスピードを制御する手段と、該定着目標温度を制御する手段の少なくともいずれかの機能を備えたことを特徴とする画像形成装置。
【００１６】
上記構成において、該定着手段のスピードを制御する手段は、シートの斜行を悪化させず、該定着器で画像欠陥あるいは該シートにしわが発生するのを防止する。
【００１７】
（２）前記斜行検知手段は、略同一長手方向に少なくとも２つ以上のセンサを持つことを特徴とする前記（１）に記載の画像形成装置。
【００１８】
（３）前記制御手段は、前記斜行検知手段で前記シートの斜行を検知した場合に、前記定着手段のスピードを遅くすること、乃至定着目標温度を低くすることのいずれかを行なうことを特徴とする前記（１）または（２）のいずれかに記載の画像形成装置。
【００１９】
（４）前記像担持体と、該像担持体に担持されたトナー像をシートに転写する転写手段と、該シートに転写されたトナー像を該シートに定着させる定着手段と、該定着手段の後で該シートの斜行を検知する斜行検知手段と、該斜行検知手段で該シートの斜行を検知した場合に、該定着手段のスピードを制御する手段と、該定着目標温度を制御する手段の少なくともいずれかの機能を備えたことを特徴とする画像形成装置。
【００２０】
（５）前記斜行検知手段は、略同一長手方向に少なくとも２つ以上のセンサを持つことを特徴とする前記（４）に記載の画像形成装置。
【００２１】
（６）前記制御手段は、前記斜行検知手段で前記シートの斜行を検知した場合に、前記定着手段のスピードを遅くすること、乃至定着目標温度を低くすることのいずれかを行なうことを特徴とする前記（４）または（５）のいずれかに記載の画像形成装置。
【００２２】
（７）前記定着手段の前後で前記シートの斜行を検知する手段を備え、該定着手段の前で該シートの斜行を検知し、該定着手段のスピードを遅くし、かつ定着目標温度を低くした場合に、該定着手段の後で該シートの斜行を検知したとき、該定着手段のスピードをさらに遅くし、かつ定着目標温度をさらに低くすることを特徴とする前記（１）乃至（６）のいずれかに記載の画像形成装置。
【００２３】
（８）前記定着手段の前後で前記シートの斜行を検知する手段を備え、該定着手段の前で該シートの斜行を検知し、該定着手段のスピードを遅くし、かつ定着目標温度を低くした場合に、該定着手段の後で該シートの斜行を検知しなかったとき、該定着手段のスピードを該定着手段の前で該シートの斜行を検知する前の該定着手段のスピードに戻し、かつ該定着目標温度を該定着手段の前で該シートの斜行を検知する前の該定着目標温度に戻すことを特徴とする前記（１）乃至（６）のいずれかに記載の画像形成装置。
【発明の効果】
【００２４】
本発明によれば、シート上の画像濃度差が左右で大きい、すなわち左右でトナー載り量の差が大きく、かつ二次転写装置の回転スピードに対し、定着器の回転スピードが大きくても、定着手段の前で斜行を検知し、斜行していると判断すると、定着手段のスピードを遅くする制御手段を行なうことにより、画像欠陥あるいはシートにしわが発生するという問題を回避することができた。
【００２５】
また、定着手段のスピードを遅くする制御手段を行なう時に、同時に定着目標温度を低くすることにより、ホットオフセット等の画像欠陥あるいはシートにしわが発生するという問題を回避することができた。
【００２６】
さらに、定着手段の前でシートの斜行を検知し、斜行していると判断し、定着手段のスピードを遅くする制御を行なった後に、定着手段の後でシートの斜行を検知し、斜行してないと判断すると、定着手段のスピードと定着目標温度も標準の状態に戻すことにより、ホットオフセット等の画像欠陥あるいはシートにしわが発生するという問題を回避するだけでなく、所望の時間あたりの出力枚数を確保することができる。
【発明を実施するための最良の形態】
【００２７】
以下、本発明の実施の形態に関して、添付図面に基づき説明する。なお、ここでは画像形成装置としてカラーＬＢＰを例にとり説明する。もちろん、その他にも電子写真方式の複写機、ファクシミリ、プリンタ等の画像形成装置に本発明を好適に適用することができる。
【実施例】
【００２８】
（第１の実施例）
図１は、第１の実施例に係るカラーＬＢＰの概略構成を示す断面図である。
【００２９】
先ず図１を参照してカラーＬＢＰの概略構成について説明する。図１において、１はカラーＬＢＰであり、その装置下部にはシート収納手段としてのシートカセット２が引き出し可能に装備されている。このシートカセット２はシートサイズ毎に交換或いは複数サイズのシートＰを収納可能なユニバーサルカセット等が用いられる。
【００３０】
３は給送手段としての給送ローラであり、半月形状をしており給紙開始信号により回転して上記シートカセット２に積載されたシートＰを順次送り出す。４はリタードローラ対であり、上記給送ローラ３により送り出されたシートＰを１枚ずつ分離搬送する。上記リタードローラ対４により分離搬送されたシートＰは、搬送ローラ対５、６により搬送される。
【００３１】
８はレジスト手段としてのレジストローラ対であり、図示しないクラッチ機構により断続駆動制御される。このレジストローラ対８は、上記クラッチ機構により駆動が断たれており、シートＰの斜行補正と中間転写ベルト１２との同期取りを行なってから回転を開始し、シートＰを二次転写部１３に向かって挟持搬送する。
【００３２】
次に画像形成手段の構成について説明すると、２０Ｙ、２０Ｍ、２０Ｃ、２０Ｋは感光ドラムで、それぞれイエロー、マゼンタ、シアン、ブラックの各色の現像剤（トナー）を備えた現像手段２１Ｙ、２１Ｍ、２１Ｃ、２１Ｋを備え各画像形成ステーション毎に設けられている。
【００３３】
各感光ドラム２０Ｙ、２０Ｍ、２０Ｃ、２０Ｋの表面には、それぞれに対応したレーザスキャナ装置２２Ｙ、２２Ｍ、２２Ｃ、２２Ｋから発せられたレーザ光による露光により潜像が形成される。この潜像は、それぞれの現像手段２１Ｙ、２１Ｍ、２１Ｃ、２１Ｋによって現像されトナー像が形成される。１２はトナー像を担持する像担持体としての中間転写ベルトで、各感光ドラム２０Ｙ、２０Ｍ、２０Ｃ、２０Ｋの表面に形成された各色毎のトナー像が一次転写される。
【００３４】
中間転写ベルト１２に一次転写されたトナー像はレジストローラ対８によって搬送されるシートＰに二次転写部１３で二次転写される。ここで二次転写ローラ１１が中間転写ベルト１２に担持されたトナー像をシートＰに転写させる転写手段を構成する。
【００３５】
トナー画像を二次転写されたシートＰは、中間転写ベルト１２と二次転写ローラ１１に挟持されて定着手段たる定着器１４に搬送され、トナー像の定着が行なわれる。前記定着器１４を通過したシートＰは、排紙ローラ対１５、１６によって搬送され排紙トレー１７上に排出積載される。
【００３６】
次に、定着器１４の前後でシートＰの斜行検知する動作について説明する。
【００３７】
図２は、第１の実施例に係る定着器１４のシートＰの斜行を検知する概略構成を示す上面図である。
【００３８】
定着入口センサ１４ｃと排紙センサ１４ｄが各々略同一長手方向に間隔を２００［ｍｍ］開けてシートＰの斜行が検知できるように定着器１４の前後に２つずつ配置されている。
【００３９】
図３は、斜行検知時の一連の動作をフローチャートで示している。
【００４０】
以下に述べる斜行検知とそのときの制御方法について、図３で示すフローチャートを用いて説明する。
【００４１】
まず、二次転写部１３から定着器１４に搬送されるシートＰを、定着入口センサ１４ｃで斜行の検知をする。斜行の検知方法は、図２で示すように、長手方向に複数の定着入口センサ１４ｃを持ち、その定着入口センサ１４ｃ間の距離と定着入口センサ１４ｃを通過する時間の差からシートＰの斜行の度合を検知する。本発明者は、定着入口センサ１４ｃを長手方向に２箇所用意し、定着入口センサ１４ｃ間の距離を２００［ｍｍ］、プロセススピードを８０［ｍｍ／ｓｅｃ］のＬＢＰを使用した。
【００４２】
表１は、シートＰが定着入口センサ１４ｃを通過する時間の差とその時の画像の評価結果を示している。このとき、定着手段のスピードを遅くする制御手段は投入していない。
【００４３】
【表１】
2007047555.tif 000003
【００４４】
表１より、シートＰが定着入口センサ１４ｃを通過する時間の差が０．０２［ｓｅｃ］以上のとき、画像不良が発生することが分かる。従って、シートＰが定着入口センサ１４ｃを通過する時間の差が０．０２［ｓｅｃ］以上のとき、定着手段のスピードを遅くする制御手段を投入すると、その時の画像の評価結果は表２の通りである。定着手段のスピードは、８０［ｍｍ／ｓｅｃ］⇒４０［ｍｍ／ｓｅｃ］とした。もちろん、シートＰが定着入口センサを通過する時間の差が０．０２［ｓｅｃ］未満のとき、定着手段のスピードを遅くする制御手段を投入していない。すなわち、定着手段のスピードは８０［ｍｍ／ｓｅｃ］のままである。
【００４５】
【表２】
2007047555.tif 000004
【００４６】
表２より、定着入口センサ１４ｃでシートＰが斜行をしていると検知した時に、定着手段のスピードを遅くする制御を投入することにより、定着器での画像不良を防止することができる。
【００４７】
尚、上記実施の形態は、画像形成装置としてカラーＬＢＰを用いて説明したけれども、これに限定されるものではなく、他の装置、例えば複写機、ファクシミリ装置等他の装置にも適用可能である。
【００４８】
また、定着入口センサの個数、定着入口センサ間の距離、定着手段のスピード、表１及び表２の時間差の値は一例であり、特に限定されるものではない。
【００４９】
（第２の実施例）
図４は、第２の実施例に係る斜行検知時の一連の動作をフローチャートで示している。本実施例の画像形成装置の構成は第１の実施例の図１で説明したものと同じなので省略する。標準の定着目標温度は１８０［℃］である。
【００５０】
本実施例でも、第１の実施例と同様に定着入口センサ１４ｃでシートＰの斜行検知を行ない、斜行していると検知された場合、第１の実施例と同様に定着手段のスピードを遅くするとともに、定着目標温度を低くする制御手段を投入する。
【００５１】
表３は、シートＰが定着入口センサ１４ｃを通過する時間の差が０．０２［ｓｅｃ］以上のとき、定着手段のスピードを遅くし、定着目標温度を低くする制御手段を投入したときの画像評価結果である。該制御手段を投入した時、定着手段のスピードは、８０［ｍｍ／ｓｅｃ］⇒４０［ｍｍ／ｓｅｃ］とし、定着目標温度は、１８０［℃］⇒１６０［℃］である。もちろん、シートＰが定着入口センサを通過する時間の差が０．０２［ｓｅｃ］未満のとき、定着手段のスピードを遅くし、定着目標温度を低くする制御手段を投入していない。すなわち、定着手段のスピードは８０［ｍｍ／ｓｅｃ］、定着目標温度は１８０［℃］のままである。
【００５２】
【表３】
2007047555.tif 000005
【００５３】
表３より、定着入口センサ１４ｃでシートＰが斜行をしていると検知した時に、定着手段のスピードを遅くし、定着目標温度を低くする制御手段を投入することにより、定着器でのホットオフセット等の画像不良を防止することができる。
【００５４】
尚、上記実施の形態も第１の実施例と同様に、画像形成装置としてカラーＬＢＰを用いて説明したけれども、これに限定されるものではなく、他の装置、例えば複写機、ファクシミリ装置等他の装置にも適用可能である。
【００５５】
また、定着入口センサの個数、定着入口センサ間の距離、定着手段のスピード、定着目標温度、表３の時間差の値は一例であり、特に限定されるものではない。
【００５６】
（第３の実施例）
図５は、第３の実施例に係る斜行検知時の一連の動作をフローチャートで示している。本実施例の画像形成装置の構成は第１の実施例の図１で説明したものと同じなので省略する。
【００５７】
本実施例でも、第１の実施例乃至第２の実施例と同様に定着入口センサ１４ｃでシートＰの斜行検知を行ない、斜行していると検知された場合、第２の実施例と同様に定着手段のスピードを遅くするとともに、定着目標温度を低くする制御手段を投入する。さらに、本実施例では、前記制御手段を投入後、排紙センサ１４ｄでシートＰの斜行検知を行ない、斜行していると検知された場合、さらに定着手段のスピードを遅くするとともに、定着目標温度を低くする制御手段を投入し、斜行が補正されていると検知された場合、定着手段のスピードと定着目標温度を標準に戻す制御手段を投入する。
【００５８】
定着入口センサ１４ｃと排紙センサ１４ｄでシートＰの斜行検知を行ない、制御手段を投入すると、定着手段のスピードと定着目標温度は、以下の〔１〕〜〔４〕のいずれかになる。
【００５９】
〔１〕シートＰが定着入口センサ１４ｃを通過する時間の差が０．０２［ｓｅｃ］以上で、シートＰが排紙センサ１４ｄを通過する時間の差が０．０２［ｓｅｃ］以上のとき、定着手段のスピードは、８０［ｍｍ／ｓｅｃ］⇒４０［ｍｍ／ｓｅｃ］⇒２０［ｍｍ／ｓｅｃ］、定着目標温度は、１８０［℃］⇒１６０［℃］⇒１５０［℃］と変化させる。
【００６０】
〔２〕シートＰが定着入口センサ１４ｃを通過する時間の差が０．０２［ｓｅｃ］以上で、シートＰが排紙センサ１４ｄを通過する時間の差が０．０２［ｓｅｃ］未満のとき、定着手段のスピードは、８０［ｍｍ／ｓｅｃ］⇒４０［ｍｍ／ｓｅｃ］⇒８０［ｍｍ／ｓｅｃ］、定着目標温度は、１８０［℃］⇒１６０［℃］⇒１８０［℃］と変化させる。
【００６１】
〔３〕シートＰが定着入口センサ１４ｃを通過する時間の差が０．０２［ｓｅｃ］未満で、シートＰが排紙センサ１４ｄを通過する時間の差が０．０２［ｓｅｃ］以上のとき、定着手段のスピードは、８０［ｍｍ／ｓｅｃ］⇒８０［ｍｍ／ｓｅｃ］⇒４０［ｍｍ／ｓｅｃ］、定着目標温度は、１８０［℃］⇒１８０［℃］⇒１６０［℃］と変化させる。
【００６２】
〔４〕シートＰが定着入口センサ１４ｃを通過する時間の差が０．０２［ｓｅｃ］未満で、シートＰが排紙センサ１４ｄを通過する時間の差が０．０２［ｓｅｃ］未満のとき、定着手段のスピードは、８０［ｍｍ／ｓｅｃ］⇒８０［ｍｍ／ｓｅｃ］⇒８０［ｍｍ／ｓｅｃ］、定着目標温度は、１８０［℃］⇒１８０［℃］⇒１８０［℃］と変化させない。
【００６３】
このとき、上記〔１〕〜〔４〕の何れの場合でも、定着器でのホットオフセット等の画像不良を防止することができる。
【００６４】
尚、上記実施の形態も第１の実施例乃至第２の実施例と同様に、画像形成装置としてカラーＬＢＰを用いて説明したけれども、これに限定されるものではなく、他の装置、例えば複写機、ファクシミリ装置等他の装置にも適用可能である。
【００６５】
また、定着入口センサの個数、定着入口センサ間の距離、排紙センサの個数、排紙センサ間の距離、定着手段のスピード、定着目標温度、上記〔１〕〜〔４〕の時間差の値は一例であり、特に限定されるものではない。
【図面の簡単な説明】
【００６６】
【図１】本発明の第１の実施例に係るカラーＬＢＰの概略構成を示す断面図である。
【図２】本発明の第１の実施例に係る定着器の概略構成を示す上面図である。
【図３】本発明の第１の実施例に係る定着部での斜行検知時の一連の動作を示すフローチャートである。
【図４】本発明の第２の実施例に係る定着部での斜行検知時の一連の動作を示すフローチャートである。
【図５】本発明の第３の実施例に係る定着部での斜行検知時の一連の動作を示すフローチャートである。
【図６】従来のカラーＬＢＰの概略構成を示す断面図である。
【符号の説明】
【００６７】
１          カラーＬＢＰ（画像形成装置）
２          シートカセット
３          給送ローラ
４          リタードローラ対
５、６      搬送ローラ対
８          レジストローラ対（レジスト手段）
１１        二次転写ローラ（転写手段）
１２        中間転写ベルト（像担持体）
１３        二次転写部
１４        定着器（定着手段）
１４ａ      上ローラ
１４ｂ      下ローラ
１４ｃ      定着入口センサ
１４ｄ      排紙センサ
１５、１６  排紙ローラ対
１７        排紙トレー
２０Ｙ、２０Ｍ、２０Ｃ、２０Ｋ  感光ドラム
２１Ｙ、２１Ｍ、２１Ｃ、２１Ｋ  現像手段
２２Ｙ、２２Ｍ、２２Ｃ、２２Ｋ  レーザスキャナ装置
Ｐ          シート
【図１】
2007047555.tif 000006
【図２】
2007047555.tif 000007
【図３】
2007047555.tif 000008
【図４】
2007047555.tif 000009
【図５】
2007047555.tif 000010
【図６】
2007047555.tif 000011